(57)【要約】【課題】良好なバストアップ機能を奏すると共に、バストの脇流れ及びバスト上部とカップ部との間の隙間の形成を防止できるカップ部付き衣類を提供する。【解決手段】カップ部付き衣類１は、左右一対のカップ部２と、カップ部２を支持する土台部３と、土台部３から延びるバック部４と、カップ部２とバック部４とを連結するストラップ部５と、カップ部２の表側でカップ部２とストラップ部５とを連結する表側連結部材１２と、を備え、カップ部２は、バストトップ位置Ｐを通る上下接ぎラインＬ１によって互いに結合された上カップ６及び下カップ７を有し、表側連結部材１２の下縁部１２ｂは、上下接ぎラインＬ１の位置でカップ部２に結合され、表側連結部材１２は、カップ部２との結合部分を除いてカップ部２に対して遊離している。【選択図】図３
2017201066.tif 000002
【特許請求の範囲】
【請求項１】
左右一対のカップ部と、
前記カップ部を支持する土台部と、
前記土台部から延びるバック部と、
前記カップ部と前記バック部とを連結するストラップ部と、
前記カップ部の表側で前記カップ部と前記ストラップ部とを連結する表側連結部材と、を備え、
前記カップ部は、バストトップ位置を通る上下接ぎラインによって互いに結合された上カップ及び下カップを有し、
前記表側連結部材の下縁部は、前記上下接ぎラインの位置で前記カップ部に結合され、
前記表側連結部材は、前記カップ部との結合部分を除いて前記カップ部に対して遊離している、カップ部付き衣類。
【請求項２】
前記表側連結部材は、前記ストラップ部よりも幅広となっており、前記下縁部に向かうにつれて幅が徐々に拡大するようにテーパ状をなしている、請求項１記載のカップ部付き衣類。
【請求項３】
前記表側連結部材の下縁部は、前記上下接ぎラインにおいて前記バストトップ位置よりも脇側の位置からカップ部の脇側にかけて前記カップ部に結合されている、請求項１又は２記載のカップ部付き衣類。
【請求項４】
前記表側連結部材の下縁部は、前記上下接ぎラインにおいて前記バストトップ位置よりも前中心側の位置からカップ部の脇側にかけて前記カップ部に結合されている、請求項１又は２記載のカップ部付き衣類。
【請求項５】
前記表側連結部材の脇側の縁部の下側部分は、前記カップ部の脇縁部のうち、上カップによって構成される部分に結合されている、請求項１〜４のいずれか一項記載のカップ部付き衣類。
【請求項６】
前記カップ部の裏側で前記カップ部と前記ストラップ部とを連結する裏側連結部材を更に備え、
前記下カップは、前記上下接ぎラインと交差する左右接ぎラインによって互いに結合された少なくとも２分割以上の分割部材によって構成され、
前記裏側連結部材は、前記左右接ぎラインの下縁側の少なくとも一部と、前記カップ部の下縁部脇側の少なくとも一部とに結合され、前記カップ部との結合部分を除いて前記カップ部に対して遊離している、請求項１〜５のいずれか一項記載のカップ部付き衣類。
【請求項７】
前記下カップは、前記バストトップ位置を通る前記左右接ぎラインによって２分割された脇側カップと前中心側カップとによって構成されている、請求項６記載のカップ部付き衣類。
【請求項８】
前記左右接ぎラインの下端は、前記カップ部の最下点よりも脇側に位置している、請求項６又は７記載のカップ部付き衣類。
【発明の詳細な説明】
【技術分野】
【０００１】
本発明は、カップ部付き衣類に関する。
【背景技術】
【０００２】
従来のカップ部付き衣類として、例えば特許文献１に記載のカップ部付き衣類がある。この従来のカップ部付き衣類では、左右のカップ部の裏面下部及び脇側部にかけて、端縁始末不要のヘムパワーネットからなる伸縮性のサポート布が配置されている。サポート布の寸法は、カップ部の寸法よりも小さくなっており、カップ部の端縁に沿う部分のみがカップ部に縫着され、残余の部分はカップ部から遊離した状態でカップ部の裏面側に略面状に浮いた状態となっている。これにより、この従来のカップ部付き衣類では、着用者のバストをボリュームアップさせる造形機能が奏されるようになっている。
【先行技術文献】
【特許文献】
【０００３】
【特許文献１】特開平７−９７７０１号公報
【発明の概要】
【発明が解決しようとする課題】
【０００４】
着用者のバストは、年齢を問わず、衣類の非着用状態において自重により下方側及び両脇側に垂れる傾向がある。この傾向は、加齢が進むと共に更に進行し、特に両脇側への垂れ（バストの脇流れ）が大きく生じてくることがある。若い年齢層では、デザイン性の観点でカップ部の上辺の位置が低めのカップ部付き衣類が好まれるが、このようなカップ部付き衣類を熟年者が着用すると、バストの脇流れが生じてしまったり、カップ部とバスト上部との間に大きな隙間が形成されてしまったりすることが考えられる。
【０００５】
従来、このような現象に対応可能なカップ部付き衣類は、バストを大面積のカップ部で覆うフルカップ型のカップ部付き衣類、若しくは造形機能を有しないノンワイヤ型のカップ部付き衣類に限られていた。しかしながら、近年では、美意識の高い熟年者が多くなり、加齢が進んだとしても若々しいバストシルエット及びブラジャーデザインが望まれるようになってきている。したがって、良好なバストアップ機能を奏すると共に、バストの脇流れ及びバスト上部とカップ部との間の隙間の形成を防止できるカップ部付き衣類の登場が望まれている。
【０００６】
本発明は、上記課題の解決のためになされたものであり、良好なバストアップ機能を奏すると共に、バストの脇流れ及びバスト上部とカップ部との間の隙間の形成を防止できるカップ部付き衣類を提供することを目的とする。
【課題を解決するための手段】
【０００７】
本発明の一側面に係るカップ部付き衣類は、左右一対のカップ部と、カップ部を支持する土台部と、土台部から延びるバック部と、カップ部とバック部とを連結するストラップ部と、カップ部の表側でカップ部とストラップ部とを連結する表側連結部材と、を備え、カップ部は、バストトップ位置を通る上下接ぎラインによって互いに結合された上カップ及び下カップを有し、表側連結部材の下縁部は、上下接ぎラインの位置でカップ部に結合され、表側連結部材は、カップ部との結合部分を除いてカップ部に対して遊離している。
【０００８】
このカップ部付き衣類では、カップ部の表側でカップ部とストラップ部とを連結する表側連結部材が設けられている。表側連結部材の下縁部は、上カップ及び下カップを結合している上下接ぎラインの位置でカップ部に結合されている。これにより、着用時にストラップ部からの引っ張り力が表側連結部材を介してカップ部に伝わり、着用者のバストが上方に引き上げられる。したがって、バストの体積がバスト上部に移動し、バストの脇流れ及びバスト上部とカップ部との間の隙間の形成を防止できる。また、このカップ部付き衣類では、カップ部との結合部分を除いて表側連結部材がカップ部に対して遊離している。したがって、ストラップ部の引っ張り力が表側連結部材を介してダイレクトにカップ部に伝わり、良好なバストアップ機能が奏される。
【０００９】
また、表側連結部材は、ストラップ部よりも幅広となっており、下縁部に向かうにつれて幅が徐々に拡大するようにテーパ状をなしていてもよい。これにより、ストラップ部からの引っ張り力を幅広の表側連結部材によってカップ部に効率的に伝達させることができる。したがって、バストアップ効果を更に高めることができる。
【００１０】
また、表側連結部材の下縁部は、上下接ぎラインにおいてバストトップ位置よりも脇側の位置からカップ部の脇側にかけてカップ部に結合されていてもよい。このような構成により、ストラップ部の引っ張り力によってカップ部の脇側がしっかりと引き上げられる。このため、着用者のバストを脇側から前中心側に集める効果が高められ、バストの脇流れを一層効果的に抑制できる。
【００１１】
また、表側連結部材の下縁部は、上下接ぎラインにおいてバストトップ位置よりも前中心側の位置からカップ部の脇側にかけてカップ部に結合されていてもよい。この場合、ストラップ部からの引っ張り力を表側連結部材によってカップ部に広範に伝達させることができる。したがって、特にボリュームのあるバストに対してバストアップ効果を更に高めることができる。また、着用時のバストの安定感も高められる。
【００１２】
また、表側連結部材の脇側の縁部の下側部分は、カップ部の脇縁部のうち、上カップによって構成される部分に結合されていてもよい。これにより、ストラップ部の引っ張り力によってカップ部の脇側が一層しっかりと引き上げられる。このため、着用者のバストを脇側から前中心側に集める効果が更に高められ、バストの脇流れを一層効果的に抑制できる。また、ストラップ部から表側連結部材を介してカップ部に伝達する引っ張り力を安定させることができる。
【００１３】
また、カップ部の裏側でカップ部とストラップ部とを連結する裏側連結部材を更に備え、下カップは、上下接ぎラインと交差する左右接ぎラインによって互いに結合された少なくとも２分割以上の分割部材によって構成され、裏側連結部材は、左右接ぎラインの下縁側の少なくとも一部と、カップ部の下縁部脇側の少なくとも一部とに結合され、カップ部との結合部分を除いてカップ部に対して遊離していてもよい。
【００１４】
このカップ部付き衣類では、カップ部の裏側でカップ部とストラップ部とを連結する裏側連結部材が設けられている。裏側連結部材は、下カップの分割部材を結合している左右接ぎラインの下縁側及びカップ部の下縁部脇側の少なくとも一部に結合されている。これにより、着用時にストラップ部からの引っ張り力が裏側連結部材を介してカップ部に伝わり、着用者のバストが上方に引き上げられる。このとき、着用者のバストの脇側部分が裏側連結部材によって押され、バストの体積がカップ部の前中心側に集められる。また、裏側連結部材が左右接ぎラインよりも脇側に偏在することで、バストがカップ部の前中心側で押さえ付けられることがなく、丸みを持った形状となる。したがって、引っ張り力によってバストの体積がバスト上部に効果的に集まり、バストの脇流れ及びバスト上部とカップ部との間の隙間の形成を一層確実に防止できる。また、カップ部の下縁部がバストのバージスラインにフィットし、カップ部付き衣類の着用感が高められる。
【００１５】
また、下カップは、バストトップ位置を通る左右接ぎラインによって２分割された脇側カップと前中心側カップとによって構成されていてもよい。この場合、カップ部の下縁部がバストのバージスラインに一層フィットさせることが可能となる。
【００１６】
また、左右接ぎラインの下端は、カップ部の最下点よりも脇側に位置していてもよい。これにより、裏側連結部材がカップ部の脇側に一層偏在することとなり、裏側連結部材によるバスト寄せ効果が高められる。また、カップ部の前中心側には裏側連結部材が配置されないことで、カップ部の前中心側に集まるバストの形状に一層丸みを持たせることが可能となり、バストの造形機能が高められる。
【発明の効果】
【００１７】
本発明によれば、良好なバストアップ機能を奏すると共に、バストの脇流れ及びバスト上部とカップ部との間の隙間の形成を防止できるカップ部付き衣類を提供する。
【図面の簡単な説明】
【００１８】
【図１】カップ部付き衣類の一実施形態を示す正面図である。
【図２】図１に示したカップ部付き衣類の背面図である。
【図３】カップ部周りを正面側から見た要部拡大図である。
【図４】カップ部周りを裏面側から見た要部拡大図である。
【図５】表側連結部材の変形例を示す要部拡大図である。
【図６】裏側連結部材の変形例を示す要部拡大図である。
【図７】裏側連結部材の別の変形例を示す要部拡大図である。
【発明を実施するための形態】
【００１９】
以下、図面を参照しながら、本発明の一側面に係るカップ部付き衣類の好適な実施形態について詳細に説明する。なお、以下の説明では、便宜上、カップ部付き衣類の着用状態を想定して「上」「下」等の用語を使用する。
【００２０】
図１は、カップ部付き衣類の一実施形態を示す正面図である。また、図２は、その背面図である。同図に示すように、カップ部付き衣類１は、例えば女性用のブラジャーとして構成されている。このカップ部付き衣類１は、左右一対のカップ部２と、カップ部２の下縁側を支持する土台部３と、土台部３の両脇からそれぞれ延びて背面側に至るバック部４と、カップ部２とバック部４とをつなぐストラップ部５とによって構成されている。
【００２１】
カップ部２は、着用者のバストの形状に対応させた椀形状となっている。左右のカップ部２，２は、土台部３を介して前中心側で互いに縫着され、左右一体となっている。カップ部２の裏側（肌側）には、例えばコットン等の肌触りや吸湿性に優れる素材からなる肌側布が縫着等によって取り付けられていてもよい。
【００２２】
カップ部２の上縁部２ａは、例えばバストの上部に沿うように略中央部分で上向きに湾曲している。また、カップ部２の脇縁部２ｂは、腕の動きを阻害することが無いように中心側に向かって緩やかに湾曲しており、カップ部２の下縁部２ｃは、バストのバージスラインに合うように下向きに湾曲している。
【００２３】
カップ部２は、カップ部２の上側を構成する上カップ６と、カップ部２の下側を構成する下カップ７とを有している。上カップ６と下カップ７とは、バストトップ位置（カップ部２において最も前方に突出した位置）Ｐを通るようにカップ部２の左右方向に延びる上下接ぎラインＬ１によって互いに結合されている。
【００２４】
上カップ６及び下カップ７は、例えば不織布や発泡ポリウレタンといった厚み方向に弾力性を有し、かつ一定の保形性及び非（難）伸縮性を有する素材によって形成されている。上カップ６は、カップ部付き衣類１のサイズにもよるが、例えば１０ｍｍ〜５０ｍｍ程度の幅を有し、下カップ７の上辺に沿って左右方向に帯状に延在している。
【００２５】
本実施形態では、下カップ７は、脇側カップ（分割部材）８と、前中心側カップ（分割部材）９とによって構成されている。脇側カップ８と前中心側カップ９とは、バストトップ位置Ｐにおいて上下接ぎラインＬ１と交差する左右接ぎラインＬ２によって互いに結合されている。本実施形態では、左右接ぎラインＬ２の下端は、カップ部２の最下点Ｘよりも僅かに脇側に位置している。
【００２６】
土台部３は、伸縮性もしくは非（難）伸縮性を有する織布や編布等の素材によって形成されている。土台部３の上縁部３ａは、カップ部２の下縁部２ｃに沿う湾曲形状を有している。カップ部２と土台部３との間には、テープ部材などに内包された状態でワイヤが設けられている。ワイヤは、カップ部２の下縁部２ｃに沿って円弧状に延びている。
【００２７】
バック部４は、土台部３の両端からそれぞれ延びている。バック部４は、例えば伸縮性の繊維素材からなり、バック部４における先端側には、ホック１０が設けられている。このホック１０により、左右のバック部４，４が互いに係脱自在となっている。
【００２８】
ストラップ部５は、例えば伸縮性のテープ素材によって形成されている。ストラップ部５は、カップ部２における上縁部２ａの脇側端部と、バック部４の上縁部分とを繋ぐように左右一対に設けられている。ストラップ部５の中間部分には、長さ調節具１１が取付けられており、着用者がストラップ部５の長さを適宜調節できるようになっている。ストラップ部５の端部５ａは、上縁部２ａよりも僅かに下方の位置でカップ部２の裏側に重なり、後述する裏側連結部材１３と共にカップ部２の上縁脇側に連結されている（図２参照）。
【００２９】
続いて、上述したカップ部２周りの構成について更に詳細に説明する。
【００３０】
図３は、カップ部周りを正面側から見た要部拡大図である。また、図４は、カップ部周りを裏面側から見た要部拡大図である。図３及び図４に示すように、カップ部付き衣類１では、カップ部２とストラップ部５との連結にあたって、表側連結部材１２と、裏側連結部材１３とを備えている。
【００３１】
表側連結部材１２は、カップ部２の表側でカップ部２とストラップ部５とを連結する部材である。表側連結部材１２は、例えばマーギセットなどの非（難）伸縮性の素材、若しくはパワーネットなどの伸長回復性を有する素材によって形成されている。表側連結部材１２は、図３に示すように、ストラップ部５よりも幅広となっており、上縁部１２ａ側から下縁部１２ｂ側に向かうにつれて幅が徐々に拡大するようにテーパ状をなしている。
【００３２】
表側連結部材１２の上縁部１２ａは、ストラップ部５の幅と同程度の幅で直線状をなしている。表側連結部材１２の下縁部１２ｂは、上下接ぎラインＬ１の脇側に沿う緩やかな湾曲形状をなしている。表側連結部材１２の脇側の縁部１２ｃの上方側は、カップ部２の脇縁部２ｂの湾曲形状に応じた湾曲形状をなし、下方側は、カップ部２の下縁部２ｃの脇側に沿う緩やかな湾曲形状をなしている。また、表側連結部材１２の前中心側の縁部１２ｄは、ストラップ部５の延長線方向よりも僅かに前中心側に傾くような略直線状をなしている。なお、表側連結部材１２の前中心側の縁部１２ｄの傾きは、これに限られず、ストラップ部５の延長線方向と一致していてもよく、ストラップ部５の延長線方向よりも脇側に傾いていてもよい。
【００３３】
かかる表側連結部材１２は、下側部分が上カップ６の脇側と重なり、かつ縁部１２ｃがカップ部２の脇縁部２ｂ及び下縁部２ｃの脇側と揃った状態でカップ部２の表側に重ねられている。表側連結部材１２の上縁部１２ａは、カップ部２の上縁部２ａよりも上方に位置し、ストラップ部５における端部５ａ側の中間部５ｂに縫着されている。表側連結部材１２の下縁部１２ｂは、上カップ６と下カップ７とを結合する上下接ぎラインＬ１の位置に揃えられている。当該下縁部１２ｂは、バストトップ位置Ｐよりも脇側の位置からカップ部２の脇側で下縁部２ｃに交差する位置にかけて、上カップ６と下カップ７との境界でカップ部２に縫着されている。
【００３４】
また、表側連結部材１２の縁部１２ｃの上方側は、カップ部２の脇縁部２ｂに縫着され、下方側は、カップ部２の下縁部２ｃの脇側に縫着されている。一方、表側連結部材１２の縁部１２ｄは、カップ部２に対して非縫着となっている。表側連結部材１２のうち、カップ部２の表側に重なる部分は、カップ部２との縫着部分を除いてカップ部２に対して遊離した状態となっている。また、表側連結部材１２のうち、ストラップ部５の端部５ａの表側に重なる部分は、中間部５ｂとの縫着部分を除いてストラップ部５に対して遊離した状態となっている。
【００３５】
裏側連結部材１３は、カップ部２の裏側（肌側）でカップ部２とストラップ部５とを連結する部材である。裏側連結部材１３は、表側連結部材１２と同様に、例えばマーギセットなどの非（難）伸縮性の素材、若しくはパワーネットなどの伸長回復性を有する素材によって形成されている。裏側連結部材１３も、図４に示すように、全体としてストラップ部５よりも幅広となっており、上縁部１３ａ側から下縁部１３ｂ側に向かうにつれて幅が徐々に拡大するようにテーパ状をなしている。
【００３６】
裏側連結部材１３の上縁部１３ａは、カップ部２の上縁部２ａの脇側に沿う湾曲形状をなしている。裏側連結部材１３の下縁部１３ｂは、カップ部２の下縁部１３ｂのうち、脇側カップ８によって構成される部分に沿う湾曲形状をなしている。裏側連結部材１３の脇側の縁部１３ｃは、カップ部２の脇縁部２ｂに沿う湾曲形状を有している。また、裏側連結部材１３の前中心側の縁部１３ｄの上方側は、ストラップ部５の端部５ａ付近と左右接ぎラインＬ２とを結ぶ直線状となっており、左右接ぎラインＬ２との交点よりも下方側は、左右接ぎラインＬ２に沿う直線状となっている。
【００３７】
かかる裏側連結部材１３は、下縁部１３ｂがカップ部２の下縁部２ｃに揃い、かつ縁部１３ｃがカップ部２の脇縁部２ｂと揃った状態でカップ部２の裏側に重ねられている。裏側連結部材１３の上縁部１３ａは、ストラップ部５の端部５ａの表側若しくは裏側に重ねられ、端部５ａと共にカップ部２の上縁部２ａの脇側部分に縫着されている。裏側連結部材１３の下縁部１３ｂは、カップ部２の下縁部２ｃのうち、脇側カップ８によって構成される部分に縫着されている。
【００３８】
裏側連結部材１３の縁部１３ｃは、カップ部２の脇縁部２ｂに縫着されている。また、裏側連結部材１３の縁部１３ｄは、左右接ぎラインＬ２との交点よりも下方側が脇側カップ８と前中心側カップ９との境界でカップ部２に縫着されている一方、左右接ぎラインＬ２との交点よりも上方側は、カップ部２に対して非縫着となっている。裏側連結部材１３のうち、カップ部２の裏側に重なる部分は、カップ部２との縫着部分を除いてカップ部２に対して遊離した状態となっている。
【００３９】
以上説明したように、このカップ部付き衣類１では、カップ部２の表側でカップ部２とストラップ部５とを連結する表側連結部材１２が設けられている。表側連結部材１２の下縁部１２ｂは、上カップ６及び下カップ７を結合している上下接ぎラインＬ１の位置でカップ部２に結合されている。これにより、着用時にストラップ部５からの引っ張り力が表側連結部材１２を介してカップ部２に伝わり、着用者のバストが上方に引き上げられる。
【００４０】
したがって、バストの体積がバスト上部に移動し、バストの脇流れ及びバスト上部とカップ部２との間の隙間の形成を防止できる。また、このカップ部付き衣類１では、カップ部２との結合部分を除いて表側連結部材１２がカップ部２に対して遊離している。したがって、ストラップ部５の引っ張り力が表側連結部材１２を介してダイレクトにカップ部２に伝わり、良好なバストアップ機能が奏される。
【００４１】
また、カップ部付き衣類１では、カップ部２の裏側でカップ部２とストラップ部５とを連結する裏側連結部材１３が設けられている。裏側連結部材１３は、下カップ７における脇側カップ８及び前中心側カップ９を結合している左右接ぎラインＬ２の下縁側及びカップ部２の下縁脇側の少なくとも一部に結合されている。これにより、着用時にストラップ部５からの引っ張り力が裏側連結部材１３を介してカップ部に伝わり、着用者のバストが上方に引き上げられる。
【００４２】
このとき、着用者のバストの脇側部分が裏側連結部材１３によって押され、バストの体積がカップ部２の前中心側に集められる。また、裏側連結部材１３が左右接ぎラインＬ２よりも脇側に偏在することで、バストがカップ部２の前中心側で押さえ付けられることがなく、丸みを持った形状となる。丸い形状で前中心側に集められたバストがカップ部２によって上方に引き上げられることにより、バストの体積がバスト上部に効果的に移動し、バストの脇流れ及びバスト上部とカップ部２との間の隙間の形成を一層確実に防止できる。また、裏側連結部材１３の縁部１３ｄの下方側が脇側カップ８及び前中心側カップ９の境界で結合されていることにより、カップ部２の下縁部２ｃがバストのバージスラインにフィットし、カップ部付き衣類１の着用感が高められる。
【００４３】
また、本実施形態では、表側連結部材１２がストラップ部５よりも幅広となっており、下縁部１２ｂ側に向かうにつれて幅が徐々に拡大するようにテーパ状をなしている。これにより、ストラップ部５からの引っ張り力を幅広の表側連結部材１２によってカップ部２に効率的に伝達させることができる。したがって、バストアップ効果を更に高めることができる。
【００４４】
また、本実施形態では、表側連結部材１２の下縁部１２ｂが、上下接ぎラインＬ１においてバストトップ位置Ｐよりも脇側の位置からカップ部２の脇側にかけてカップ部２に結合されている。このような構成により、ストラップ部５の引っ張り力によってカップ部の脇縁部２ｂ側がしっかりと引き上げられる。このため、着用者のバストを脇側から前中心側に集める効果が高められ、バストの脇流れを一層効果的に抑制できる。
【００４５】
また、本実施形態では、表側連結部材１２の脇側の縁部１２ｃの下側部分は、上カップ６の脇縁部に結合されている。これにより、ストラップ部５の引っ張り力によってカップ部の脇縁部２ｂ側が一層しっかりと引き上げられる。このため、着用者のバストを脇側から前中心側に集める効果が更に高められ、バストの脇流れを一層効果的に抑制できる。また、ストラップ部５から表側連結部材１２を介してカップ部２に伝達する引っ張り力を安定させることができる。
【００４６】
また、本実施形態では、左右接ぎラインＬ２の下端がカップ部２の最下点Ｘよりも脇側に位置している。これにより、裏側連結部材１３がカップ部の脇側に偏在することとなり、裏側連結部材１３によるバスト寄せ効果が高められる。また、カップ部２の前中心側には裏側連結部材１３が配置されないことで、カップ部２の前中心側に集まるバストの形状に一層丸みを持たせることが可能となり、バストの造形機能が高められる。
【００４７】
本発明は、上記実施形態に限られるものではない。例えば表側連結部材１２について、図５に示すように、表側連結部材１２の下縁部１２ｂは、上下接ぎラインＬ１においてバストトップ位置Ｐよりも前中心側の位置からカップ部２の脇側にかけてカップ部２に結合されていてもよい。この場合、ストラップ部５からの引っ張り力を表側連結部材１２によってカップ部２に広範に伝達させることができる。したがって、特にボリュームのあるバストに対してバストアップ効果を更に高めることができる。また、着用時のバストの安定感も高められる。
【００４８】
また、例えば裏側連結部材１３において、図６に示すように、幅方向内側の縁部１３ｄの上方側がカップ部２の脇縁部２ｂ側に湾曲し、下方側が左右接ぎラインＬ２に沿う直線状をなしていてもよい。また、裏側連結部材１３において、図７に示すように、下縁部１３ｂの前中心側がカップ部２の上縁部２ａ側に湾曲し、カップ部２の下縁部２ｃよりも上方側に位置していてもよい。この場合、幅方向内側の縁部１３ｄの下端位置も左右接ぎラインＬ２の下端位置より上方側に位置することとなる。
【００４９】
また、上記実施形態では、下カップ７が脇側カップ８と前中心側カップ９とに２分割されているが、下カップ７は、３分割以上の分割部材によって構成されていてもよい。この場合、裏側連結部材１３の縁部１３ｄは、分割部材同士を結合するいずれか一つの左右接ぎラインＬ２の下縁側の少なくとも一部と、カップ部２の下縁脇側の少なくとも一部とに結合されていればよい。
【００５０】
また、ストラップ部５と表側連結部材１２及び裏側連結部材１３との結合は、ストラップ部５に対して表側連結部材１２及び裏側連結部材１３がカップ部２の表側と裏側とに二股となる構成であればよい。ストラップ部５に対する表側連結部材１２の連結位置と裏側連結部材１３の連結位置とは、一致していてもよく、一致していなくてもよい。また、ストラップ部５の端部５ａとカップ部２の上縁部２ａとが中間連結部材を介して結合されていてもよい。この場合、表側連結部材１２及び裏側連結部材１３の一方或いは双方が中間連結部材に対して連結されていてもよい。
【００５１】
上記実施形態では、カップ部２と土台部３との間にワイヤが配置されたブラジャーを例示したが、本発明は、ノンワイヤ型のブラジャーにも適用可能である。また、土台部３とバック部４とが別部材で構成されるブラジャーであってもよい。上記実施形態では、カップ部付き衣類としてブラジャーを例示したが、本発明を適用するカップ部付き衣類としては、ブラジャーの他、ブラジャー付きキャミソール、フラジャー付きタンクトップ、ブラジャー付きハーフトップなどが挙げられる。
【符号の説明】
【００５２】
１…カップ部付き衣類、２…カップ部、２ｂ…脇縁部、２ｃ…下縁部、３…土台部、４…バック部、５…ストラップ部、６…上カップ、７…下カップ、８…脇側カップ（分割部材）、９…前中心側カップ（分割部材）、１２…表側連結部材、１２ｂ…下縁部、１２ｃ…縁部、１３…裏側連結部材、Ｌ１…上下接ぎライン、Ｌ２…左右接ぎライン、Ｐ…バストトップ位置、Ｘ…最下点。
【図１】
2017201066.tif 000003
【図２】
2017201066.tif 000004
【図３】
2017201066.tif 000005
【図４】
2017201066.tif 000006
【図５】
2017201066.tif 000007
【図６】
2017201066.tif 000008
【図７】
2017201066.tif 000009